(57)【要約】      （修正有）【課題】従来の衣装ケースは持ち運びができず、また、衣装の保管は単に折り畳んで平面的で型崩れが生じやすく、しかも、そのままの状態では長期保管には対処できないという問題があった。また、単なる保管であり、他の利便性や効用は全く考慮されていない。【解決手段】ドレス２９の主要部に脱酸紙を装入し二つ折りにしたドレス２９を、ウインドウ４０を設け、かつ、窒素ガスを充満し密封した中箱４２内に設定し、該中箱４２を開閉自在の取っ手５５を備えた外箱４６に収容したウエディングドレスの立体箱詰衣装ケースを構成する。これにより、ドレス２９の立体原型を維持しつつ持ち運び・陳列・観賞が簡便にできると共に、頗る長期に亘って一定品質を確保できる。【選択図】図１３
0003129029.tif 000002
【実用新案登録請求の範囲】
【請求項１】
上面を開口部（１４）とした内箱（１）と、下面を開口部（３８）とし上面に透明膜（３９）を施したウインドウ（４０）を有する上箱（３６）と、収容部（４８）に蓋部（４９）を一連にし、かつ、開閉自在の取っ手（５５）を設けた外箱（４６）とから成り、前記内箱（１）にはドレス（２９）の胸部（３０）が上面になるように二つ折りにし、かつ、該ドレス（２９）の胸部（３０）から首部（３１）を通る立体整型紙（２８）を装入し、該立体整型紙（２８）を内箱（１）の側壁（４）に固定すると共に、前記立体整型紙（２８）の湾曲内部並びに裾部（３２）・腹部（３３）・袖部（３４）内に脱酸紙を装入してウエスト部（３５）にはリボンテープ（２２）を締着して内箱（１）に固定し、前記上箱（３６）を被せその外面に透明シュリンクフィルム（４３）を密着せしめ、かつ、内部の空気を抜いて窒素ガスを注入し密封して形成した中箱（４２）を、前記外箱（４６）に収容して成るドレス類の立体箱詰衣装ケース。
【請求項２】
内箱（１）に脱酸剤（１７）や除湿剤（１８）を備設した請求項１記載のドレス類の立体箱詰衣装ケース。
【考案の詳細な説明】
【技術分野】
【０００１】
本考案は、ドレス類の立体箱詰衣装ケースに関する。
【背景技術】
【０００２】
従来、中身を容易に確認することが可能な衣装ケースは知られている（例えば、特許文献１参照。）。
また、衣装やスーツなどの各種和洋衣装とその他の物品の取り出しと収容のためのバッグの開閉が容易な衣装ケース兼用携帯バッグも開示されている（特許文献２参照。）。
さらに、透明もしくは半透明の衣装ケース等の収納容器に収納して使用し、薬効の終了時期を収納容器の外側から取り出さなくても判断できることによって取り換え時期が遅れる事がない防虫剤も知られている（例えば、特許文献３参照。）。
【０００３】
【特許文献１】実用新案登録第３０９６５３０号公報
【特許文献２】実用新案登録第３０４１５６８号公報
【特許文献３】特開平７−２０３８２２号公報
【考案の開示】
【考案が解決しようとする課題】
【０００４】
一般に、衣装類は洗濯したあと平面的に折り畳んで衣装ケースやたんすに収容して保管したり、又はビニールカバーに被せた衣装掛けに吊るして洋服たんすやクローゼット内で保管したりするのが常である。
しかし、前者にあっては折り畳みが平面的作業のため衣装、特にウエディングドレスの場合には立体的原型の型崩れが生じ、また、後者にあっては頗る嵩高性のため保管面積の確保が困難である。
【０００５】
これ等の場合、何れもが固定的な物理的概念による保管であるため、通常は外部からは観ることも持ち運びもできない。
つまり、ウエディングドレスの立体的態様の保全や当該衣装を陳列したり、観賞したりする概念は全く考慮されていない。また、長期間の保管についての対策は全く施されていない。
【０００６】
そして、前述のように前記特許文献１には中身が確認できる衣装ケースが、特許文献２には取手を設けた衣装ケース兼用携帯バッグが、特許文献３には薬剤を収納して薬効の終了時期が判断できる衣装ケースがそれぞれ単に示されているに過ぎない。
【０００７】
ところで、一般人が購入したウエディングドレスの使用は結婚式・結婚披露宴の当日一回限りで、その後は前述の如き単なる保管に付されるのが一般的である。つまり、ウエディングドレスの保管は格別なる困難性を伴うにもかかわらず、爾後の効用や利便性を伴う機能は殆んど存在しない。
【０００８】
本考案は、上記問題点に鑑みてドレス類の原型を保全しつつ立体的に箱詰めし、長期間に亘り一定品質を維持可能とし、かつ、陳列品や観賞品として供されると共に持ち運び自在として利便性の向上を図る目的を以って開発したものである。
【課題を解決するための手段】
【０００９】
而して、前記課題を解決し、かつ、その目的を達成すべき本考案の要旨とするところは、上面を開口部とした内箱と、下面を開口部とし上面に透明膜を施したウインドウを有する上箱と、収容部に蓋部を一連にし、かつ、開閉自在の取っ手を設けた外箱とから成り、前記内箱にはドレスの胸部が上面になるように二つ折りにし、かつ、該ドレスの胸部から首部を通る立体整型紙を装入し、該立体整型紙を内箱に固定すると共に、前記立体整型紙の湾曲内部並びに裾部・腹部・袖部内に脱酸紙を装入してウエスト部にはリボンテープを締着して底部に固定し、前記上箱を被せその外面に透明シュリンクフィルムを密着せしめ、かつ、内部の空気を抜いて窒素ガスを注入し密封して形成した中箱を、前記外箱に収容して成るドレス類の立体箱詰衣装ケースを提供するにある。
【００１０】
本考案の構成によると、内箱内に設定されたドレスは、脱酸紙によってそれぞれの部分がほぼ原型どおりの柔らかな立体形態を確保し、特に立体整型紙と相俟って胸部を中心とする肩部から腹部にかけては原型立体感の保全機能を有する。
【００１１】
さらに、これらの脱酸紙は中箱内の酸素を吸収排除する。
【００１２】
すなわち、中箱内の空気は抜かれ窒素ガスで充満されて密封されているものの、完全に空気を抜くことはできない。
【００１３】
そして、窒素は体積で空気の４／５を占め、これが一般に化学反応を起し難いが、生物体の重要な成分として生活現象と密接な関係を有する。つまり、空気中に酸素が存在していると生物体が増繁殖し活動することになる。
【００１４】
本考案において前記のようにドレスの所々に装入した脱酸紙は前記機能と共に、中箱内に充満した窒素ガスと相俟って窒素ガス密入後における僅かに残留し、又は侵入してくる空気中の酸素を吸収排除するためにも機能するものである。
【００１５】
したがって、中箱内には生物体の増繁殖や活動が可及的に抑止でき、ドレスに対する黄ばみ・虫食い防止並びにシミ・カビ等の発生・付着防止に役立ち、これが長期に亘って機能する。
【００１６】
また、内箱に脱酸剤や除湿剤を備設することにより、前記機能と相俟って中箱内の脱酸機能を一層促進し、かつ、中箱内の湿気を吸収し排するので生物体の増繁殖やその活動防止に一層効力を発揮する。
【００１７】
また、二つ折りにして内箱に収められたドレスは、リボンテープの締着によって立体整型紙を介して内箱内に固定され拘束されるので、内箱内において不動のものとなりその立体感も保全され、しかも、中箱をコンパクトで軽量に形成できる。
【００１８】
そして、前記の如くドレスを設定した内箱の開口部に上箱の開口部を被せると、ウインドウからドレスの肩部から腹部に至るまでの原型が立体的に観ることができる。
【００１９】
次に、内箱に上箱を被せたのち、その全体を透明シュリンクフィルムで密着することにより、箱体の外面と透明シュリンクフィルム間の空気を抜くことができる。
【００２０】
さらに、前記箱体の側部から空気を抜くと共に窒素ガスを注入し密封することにより、依然としてウインドウからは美しく立体的に内装されているドレスを観ることのできる中箱が形成できる。
【００２１】
前記中箱を外箱に収容することにより中箱を常に保護しつつ取っ手により持ち運び自在となり、外箱の蓋部を少し開いてスタンド形式に立て掛けることもできる。
【考案の効果】
【００２２】
本考案によると、立体的整型紙並びに脱酸紙によって常時ドレスの原型を崩さず、その立体的形態を維持し保管できる。
【００２３】
また、ドレスは二つ折りにしコンパクト化されてリボンテープで内箱に固定され、取っ手を設けた開閉自在のスタンド形外箱並びにウインドウを設けた上箱と相俟って中箱を常に防護しつつ持ち運び・陳列・観賞が頗る簡便にできる。
【００２４】
さらに、中箱内の脱酸紙並びに窒素ガスは透明シュリンクフィルムにて密封されるので、シミ・カビ・細菌の発生を頗る効果的に抑止すると共に黄ばみ・虫除け防止に役立ち、長期に亘って一定品質を確実に維持し次世代の使用に供することができる。なお、内箱に備設した脱酸剤・除湿剤は当該効果を一層促進させる。
【考案を実施するための最良の形態】
【００２５】
次に、本考案の実施形態について図面を参照しつつ説明する。なお、図１は内箱の展開図、図２は同じく組立図、図３は同じく斜視図を示す。
【００２６】
内箱１は、底部２それぞれの側壁３・４・５・６と該側壁５・６には屈折壁７・８を、また、側壁３・４には耳９・１０をそれぞれ連続して設けた型紙１１を形成する。
【００２７】
前記型紙１１に示す破線１２の全てを内側に９０度折り曲げたのち、二重破線１３を更に内側に曲折すると、それぞれの耳９・１０はそれぞれの屈折壁７・８に抱き込まれてそれぞれの側壁５・６との間にサンドイッチ状に挟まれて上面を開口部１４とした内箱１を組み立てる。このとき、所定箇所をバノックで止着固定する。
【００２８】
また、このときそれぞれの耳９・９および耳１０・１０間に耳厚が形成する隙間１５・１６に、必要に応じて脱酸剤１７や除湿剤１８を挟設する。
このように、脱酸剤１７・除湿剤１８を側壁５・６と屈折壁７・８間に備設することにより、収容品であるドレス２９と直接的に接触することを防ぐことができる。
【００２９】
そして、型紙１１における符号１９・２０・２１は側壁５・６及び屈折壁７・８に予め任意に穿った穴を示すものであり、前記のように内箱１を組み立て形成したときに、同符号の穴１９と穴１９、穴２０と穴２０、穴２１と穴２１がそれぞれ合致するよう穿穴されている。
【００３０】
これらの合致した穴１９・２０・２１は後述するように空気抜き穴として機能するが、中央の穴２０は特にリボンテープ２２を通して内箱１の底部２に締着固定することに利用される。
【００３１】
図４は整型紙２３の平面的正面図、図５は同じく立体的正面図を示す。
【００３２】
整型紙２３は上部２４と下部２５を連結して組み立てて形成したもので、切込部２６や穴２７によって湾曲・変形して立体整型紙２８を形成する。
【００３３】
次に、図６は内箱１にドレス２９を収容し設定した正面図、図７は同じく側面斜視図を示す。
【００３４】
ここにおいて、内箱１にはドレス２９の胸部３０が上面になるように二つ折りにしてコンパクトに収容される。
このようにして収容したドレス２９には、その胸部３０から首部３１を通るように立体整型紙２８を装入して内箱１の側壁４にバノックで固定して不動のものとする。したがって、ドレス２９の胸部３０を中心としてその立体感を呈する。
【００３５】
さらに、前記立体整型紙２８の湾曲内部並びに裾部３２・腹部３３・袖部３４内に脱酸紙を装入して全体としての立体感を高めると同時に、後述する中箱内の空気中に存する酸素を可及的に排する働きを行う。
【００３６】
このようにして収容したドレス２９は、ウエスト部３５にリボンテープ２２を巻き付け、その両端を穴２０・２０に通して内箱１の底部２に締結する。したがって、ドレス２９は不動状態の立体整型紙２８を介して内箱１内に設定し固定される。
【００３７】
次に、図８は内箱１に上箱３６を被せた箱体３７の斜視図を示す。
上箱３６は下面を開口部３８としてあるから、内箱１の開口部１４を覆い被せることにより箱体３７を形成する。この上箱３６には透明膜３９を施したウインドウ４０から該透明膜３９の範囲において内箱１に設定したドレス２９を観ることができる。
【００３８】
図９は前記箱体３７を透明シュリンクフイルムチューブ４１に通した態様の斜視図、図１０は中箱４２の斜視図、図１１は中箱４２の縦断面図及び図１２は中箱４２の正面図を示す。
【００３９】
すなわち、箱体３７を透明シュリンクフイルム４３で覆包して密閉し、これを加熱すると透明シュリンクフイルム４３が収縮して箱体３７の全面に密着し該箱体３７を密封する。
【００４０】
このようにして形成した箱体３７の任意の側壁の適宜な２箇所に穴４４・４５を穿って一方の穴４４から箱体３７内の空気を抜き密閉し、他方の穴４５から窒素ガスを注入し密閉することにより中箱４２を形成した。
【００４１】
このとき、ドレス２９は透明シュリンクフイルム４３及びウインドウ４０を介して立体感を以って観られ、しかも、中箱４２内は空気が抜かれ窒素ガスが充満し、かつ、脱酸紙又は該脱酸紙・脱酸剤１７・除湿剤１８が作用して酸素が殆んど混入していない状態を確保できる。
【００４２】
図１３は中箱４２を外箱４６に収容して成る本体４７の開蓋スタンド態様を示す斜視図である。
外箱４６は収容部４８と蓋体４９が支承線５０によって一連し、該支承線５０を軸として開閉自在となる。
【００４３】
そして、中箱４２を収容部４８に収め入れたのち、蓋部４９の側壁５１の両端に連続する耳５２・５３を収容部４８に差し込むと共に、該側壁５１に穿った長穴５４を収容部４８の側壁５１に固定した取っ手５５に嵌め込むことにより、蓋部４９を収容部４８に閉じることができる。
【００４４】
したがって、中箱４２は常に外箱４６によって保護されながら運搬が簡便となり、蓋部４９を所望する角度Ａに開けばスタンド形に立てかけられ陳列・観賞用として適用できる。また、上箱３６の正面や蓋部４９の裏面に所望に応じた図柄５６や文字を配することにより、一層利便性の向上が図られる。
また、本考案はドレス類に限定することなく、一般被服類・仮装用衣服・運動用特殊衣服等に適用できる。
【実施例】
【００４５】
次に、本考案の実施例を工程に沿って順次説明する。
先ず、ドレス２９はマーク布と照合しつつベール・手袋等の附属品を確認し、全てのタックを外す。
【００４６】
そして、バノックで止着して形成した内箱１にドレス２９の胸部３０が上面になるように二つに折って設定する。このとき、裾部３２の幅が広く大きいので中心を定め、かつ、中心に向かって恰もアコーディオン状に縮めてなるべく平坦に入れる。そして、脱酸紙を被せて両側に向けて覆った。
【００４７】
次に、腹部３３に脱酸紙を丸めて入れ、胸部３０から首部３１を通る立体整型紙２８を胸部３０に入れる。このとき、トップバストの位置を立体整型紙２８とドレス２９が合致するように操作する。
【００４８】
そして、ドレス２９の胸部３０のかくれ部分と立体整型紙２８を、また、首部３１を通って長く出ている胸部３０の立体整紙２８の上部２４の端５７を折り曲げて内箱１の側壁４の下部にそれぞれバノックで止着固定し、内箱１並びに立体整紙２８からドレス２９が動かないように設定した。
【００４９】
さらに、内箱１の両側壁５・６の下部に予め穿った一対の穴２０・２０に幅約１cm、長さ約６０cmのリボンテープ２２を通しドレス２９のウエスト部３５の上を強く押さえて巻き付け、リボンテープ２２の両端を内箱１の底部２の裏面に糊付けテープ５８・５８にて固定してドレス２９を内箱１内において不動のものとした。このようにすることにより、前記底部２９の裏面を可能な限り平坦にすることができる。なお、リボンテープ２２の両端部を締結することもできる。
【００５０】
次工程に進む前にドレス２９や内箱１に塵埃等の付着や雑物等の混入がない状態を確認する。
次に、ウインドウ４０を設けた上箱３６を組み立てる。このとき、ウインドウ４０の透明膜３９の内外面を美麗に磨いたのち、上箱３６の開口部３８と内箱１の開口部１４を相対向し、内箱１に上箱３６を被せて箱体３７を形成すると共に上箱３６の側壁５に加工票を添着する。
【００５１】
そして、上箱３７を透明シュリンクフイルムチューブ４１内に通し、両端に３cm程度の余裕を以って該透明シュリンクフイルムチューブ４１を切断し、その開放両端面をシールした。
【００５２】
このようにして、箱体３７を覆包した透明シュリンクフイルムチューブ４１の開放両端面の四隅をシールしてマチを作り、三角が５ｃｍ程度の箇所をシールする。
【００５３】
このように、透明シュリンクフイルムチューブ４１で覆包された箱体３７を、予め摂氏９３度に保温されているシュリンクマシーンのトンネルに通す。このとき、マチの中心を合わせて引張りながら入れると都合がよい。
【００５４】
シュリンクマシーンのトンネルを通過した箱体３７は、覆包している透明シュリンクフイルム４３が熱によって収縮し、箱体３７の全面に密着し、かつ、該箱体３７を密封する。なお、密着した透明シュリンクフイルム４３に皺が生じているときは、再びシュリンクマシーンのトンネルを通過させればよい。また、シュリンクマシーンに代えてハンドドライヤーを適用することもできる。
【００５５】
そして、透明シュリンクフイルム４３で密着・密封した箱体３７の適宜なる側面に２箇所の穴４４・４５を穿ち、先ず、この２箇所の穴４４・４５に２本のパイプを差し込んで箱体３７内の空気を抜き取る。
【００５６】
空気の抜き取りは吸引作用によって上箱３６に設けたウインドウのビニール製透明膜３９が凹む程度を目安とし、さらに、内箱１の側壁５・６に任意の穴１９・２１を穿っておけば、箱体３７の外面と透明シュリンクフイルム４３間の空気も吸引され空気抜き取り作用が一層効果的である。
【００５７】
次に、上記の空気抜き取り作用を停止し、一方のパイプを穴４５からはずして窒素ガス用のパイプを差し込んで窒素ガスを約５秒間箱体３７内に注入し、他方のパイプもはずし、該穴４４にシールを貼って塞ぎ更に上からテープで止める。
【００５８】
穴４５に差し込まれているパイプから、再度窒素ガスを約５秒間注入したのち、穴４５からパイプをはずし該穴４５にシールを貼って上からテープで止めることにより、箱体３７内に窒素ガスを充満した中箱４２を形成した。
上記中箱４２を外箱４６に収容して本考案を実施した。
【図面の簡単な説明】
【００５９】
【図１】内箱の一実施例を示す展開図
【図２】内箱の一実施例を示す組立斜視図
【図３】内箱の一実施例を示す斜視図
【図４】型紙の一実施例を示す平面的正面図
【図５】型紙の一実施例を示す立体的正面図
【図６】ドレスを設定した内箱の上面斜視図
【図７】ドレスを設定した内箱の側面斜視図
【図８】内箱に上箱を被せた箱体の斜視図
【図９】箱体を透明シュリンクフイルムチューブに通した態様を示す斜視図
【図１０】中箱の斜視図
【図１１】中箱の縦断面図
【図１２】中箱の正面図
【図１３】中箱を外箱に収容した開蓋斜視図
【符号の説明】
【００６０】
１  内箱
２  底部
３  側壁
４  側壁
５  側壁
６  側壁
７  屈折壁
８  屈折壁
１１  型紙
１４  開口部
１５  隙間
１６  隙間
１７  脱酸剤
１８  除湿剤
２２  リボンテープ
２８  立体整型紙
２９  ドレス
３０  胸部
３１  首部
３２  裾部
３３  腹部
３４  袖部
３５  ウエスト部
３６  上箱
３８  開口部
３９  透明膜
４０  ウインドウ
４２  中箱
４３  透明シュリンクフイルム
４６  外箱
４８  収容部
４９  蓋部
５０  支承線
５４  長穴
５５  取っ手
【図１】
0003129029.tif 000003
【図２】
0003129029.tif 000004
【図３】
0003129029.tif 000005
【図４】
0003129029.tif 000006
【図５】
0003129029.tif 000007
【図６】
0003129029.tif 000008
【図７】
0003129029.tif 000009
【図８】
0003129029.tif 000010
【図９】
0003129029.tif 000011
【図１０】
0003129029.tif 000012
【図１１】
0003129029.tif 000013
【図１２】
0003129029.tif 000014
【図１３】
0003129029.tif 000015